(57)【要約】【課題】袋型枠内の全体にコンクリートを行き渡らせ難い。【解決手段】複数本のアンカー１、1a…を法面Ｓ側に打ち込む工程と、アンカー１、1a…の先端部に連結具10、10a …の上端部を連結する工程と、アンカー１、1a…の先端部に仮設横筋19を架設する工程と、袋型枠５を仮設横筋19に吊り下げる工程と、袋型枠５内への配筋工程と、袋型枠５内へのコンクリート打設工程と、構築されたコンクリート壁の後方空間部を埋める工程で法面Ｓにコンクリート壁を構築する。袋型枠５を、上部を閉鎖せずに開口状態とし、且つ内部が広がった状態で吊り下げられるため、打設コンクリート23が袋型枠５内の全体に確実に行き渡る。【選択図】図８
2005113486.tif 000002
【特許請求の範囲】
【請求項１】
複数本のアンカーを法面側に打ち込む工程と、アンカーの先端部に連結具の上端部を連
結する工程と、アンカーの先端部に仮設横筋を架設する工程と、袋型枠を仮設横筋に吊り
下げる工程と、袋型枠内への配筋工程と、袋型枠内へのコンクリート打設工程と、構築さ
れたコンクリート壁の後方空間部を埋める工程と、からなることを特徴とする法面へのコ
ンクリート壁の構築工法。
【請求項２】
配筋工程において、連結具を縦筋として袋型枠内に収容する様にしたことを特徴とする
請求項１記載の法面へのコンクリート壁の構築工法。
【請求項３】
配筋工程において、袋型枠の一方の側面部材に横筋を貫通させ袋型枠内を通して、その
先端を他方の側面部材に貫通させ、且つ上端部を仮設横筋に取り付けて袋型枠内に収容し
た間隔保持材における挿通部位に横筋を挿通させる様にしたことを特徴とする請求項１又
は２記載の法面へのコンクリート壁の構築工法。
【請求項４】
法面の幅方向に連設するコンクリート壁における隣接する一方の横筋の突端部を他方の
袋型枠の側面部材を貫通させると共に、他方の横筋の端部と重ねて結束する様にしたこと
を特徴とする請求項３記載の法面へのコンクリート壁の構築工法。
【請求項５】
請求項１、２、３又は４に記載の構築工法に使用するアンカーであって、
先端部に連結具の連結部位及び仮設横筋の受承部位を形成したことを特徴とするアンカ
ー。
【請求項６】
先端部に形成したＵ字状の屈曲部を上記連結部位及び上記受承部位としたことを特徴と
する請求項５記載のアンカー。
【請求項７】
請求項１、２、３又は４に記載の構築工法に使用する袋型枠であって、
内部の複数本の開拡制限紐の両端部を表裏部材の内面に縫着すると共に、表裏部材の上
部に補強棒材の挿通部位を形成したことを特徴とする袋型枠。
【請求項８】
請求項１、２、３又は４に記載の構築工法に使用する連結具であって、
縦長ループ状に形成すると共に、１箇所に切断部を形成して、上端部をアンカーへの引
掛部としたことを特徴とする連結具。
【請求項９】
請求項３又は４に記載の構築工法に使用する間隔保持具であって、
縦長状に形成し、上端部に仮設横筋への引掛部を形成し、中間部に複数個のＬ形突部を
上下配列して横筋の挿通部位としたことを特徴とする間隔保持具。
【発明の詳細な説明】
【技術分野】
【０００１】
本発明は、道路側方の斜面、河川の護岸斜面等の法面に平坦面を形成するために必要な
コンクリート壁を構築する工法及び該工法に使用する各種建材に関する。
【背景技術】
【０００２】
従来から法面の保護は、現場にて型枠を組んでコンクリート打設する土留工法、或いは
法面へのモルタルの吹き付け保護が広く行われていた。しかしながら、前者では凹凸のあ
る法面での型枠組みが難しくて手間がかかると共に、コスト高となる問題点があった。後
者ではモルタルが脆くて土留作用が悪く、しかも緑化出来ない欠点があった。
【０００３】
そこで、本願出願人は、法面に土留壁を施す方法であり、上端に開閉部材を備えると共
に、表裏に連結する開拡制限紐を内部に介在して袋巾を制限する袋型枠を用い、鉄筋等の
支持棒を間隔をあけ複数本横に並列して法面に打ち込む支持棒打込工程と、下端を支持さ
れた袋型枠内の開口上部に、法面から突出している該支持棒端部が配置するよう袋型枠を
保持する袋型枠保持工程と、袋型枠内における支持棒端部に横筋を固定する横配筋工程と
、横配筋後、袋型枠の開閉部材を閉じて上面を閉塞する袋型枠閉塞工程と、袋型枠内にモ
ルタルを打ち込むモルタル打設工程と、袋型枠にモルタル注入で形成された土留壁の後ろ
空間部に土や石を詰める土石充填工程とを順次施して成る法面保護工法を開発した（例え
ば、特許文献１参照）。
【０００４】
【特許文献１】特開２００−２４８５５４号公報
【発明の開示】
【発明が解決しようとする課題】
【０００５】
しかし、上記従来工法にあっては、袋型枠の設置状態が、その上部を支持棒に引っ掛け
ただけであることから、袋型枠の内部が広がった状態にならず、而も袋型枠の上部を閉鎖
した後にコンクリートを打設するため、袋型枠内の全体にコンクリートを行き渡らせ難い
という問題点が浮上してきた。
【課題を解決するための手段】
【０００６】
本発明は、上記従来技術に基づく、袋型枠内の全体にコンクリートを行き渡らせ難い困
難な課題に鑑み、複数本のアンカーを法面側に打ち込む工程と、アンカーの先端部に連結
具の上端部を連結する工程と、アンカーの先端部に仮設横筋を架設する工程と、袋型枠を
仮設横筋に吊り下げる工程と、袋型枠内への配筋工程と、袋型枠内へのコンクリート打設
工程と、構築されたコンクリート壁の後方空間部を埋める工程で法面にコンクリート壁を
構築することによって、袋型枠を、上部を閉鎖せずに開口状態とし、且つ内部が広がった
状態で吊り下げることによって、打設コンクリートが袋型枠内の全体に確実に行き渡る様
にして、上記課題を解決する。
【発明の効果】
【０００７】
要するに本発明は、複数本のアンカーを法面側に打ち込む工程と、アンカーの先端部に
連結具の上端部を連結する工程と、アンカーの先端部に仮設横筋を架設する工程と、袋型
枠を仮設横筋に吊り下げる工程と、袋型枠内への配筋工程と、袋型枠内へのコンクリート
打設工程と、構築されたコンクリート壁の後方空間部を埋める工程と、からなる工法とし
たので、袋型枠は、第１に軽量且つ折り畳み可能で取扱性に優れているため、現場までの
運搬作業が非常に楽になると共に、足場の悪い法面において安全に作業することが出来、
第２に法面の凹凸に応じて変形可能で馴染み易いため、凹凸に応じたコンクリート壁を構
築することが出来、第３に打設コンクリートと一体となって撤去作業を不要にすることが
出来る。
又、上部を開口状態とし内部が広がった状態で吊り下げることが出来ることから、打設
コンクリートを袋型枠内の全体に確実に行き渡らせることが出来るため、強固なコンクリ
ート壁を構築することが出来る。
従って、本発明は、法面に対しコンクリート壁を簡単且つ安全に構築することが出来る
と共に、構築されたコンクリート壁自体の強度も優れたものであり、特に緑化土留を施す
ためには最適な工法として提供出来る。
【０００８】
上記配筋工程において、連結具を縦筋として袋型枠内に収容する様にしたので、新たに
縦筋を配筋せずに連結具が縦筋の機能をも兼備するため、配筋工程の簡略化を図ることが
出来る。
更に、袋型枠の一方の側面部材に横筋を貫通させ袋型枠内を通して、その先端を他方の
側面部材に貫通させ、且つ上端部を仮設横筋に取り付けて袋型枠内に収容した間隔保持材
における挿通部位に横筋を挿通させる様にしたので、埋立部からの押圧力に対する耐久力
を向上させることが出来、且つ横長状のコンクリート壁を必要以上に厚くせずに堅固に構
築出来、而も横筋間を所定間隔に維持出来るため、コンクリート打設による衝撃で配筋状
態が乱れることを防止して、構築されたコンクリート壁内に均等間隔で横筋を配置するこ
とが出来るため、コンクリート壁の強度低下を防止することが出来る。
又、法面の幅方向に連設するコンクリート壁における隣接する一方の横筋の突端部を他
方の袋型枠の側面部材を貫通させると共に、他方の横筋の端部と重ねて結束する様にした
ので、幅方向に隣接するコンクリート壁を一体化出来る、即ち幅方向に連設したコンクリ
ート壁全体を一体化することが出来るため、幅の広い法面の全体に高強度のコンクリート
壁を構築することが出来る。
【０００９】
アンカーの先端部に連結具の連結部位及び仮設横筋の受承部位を形成したので、アンカ
ーに対し連結具及び仮設横筋を設置することが出来、更にアンカーの先端部に形成したＵ
字状の屈曲部を上記連結部位及び上記受承部位としたので、コンクリート壁を構築した後
に必要がなくなる仮設横筋のための受承部位を連結部位と兼用出来るため、単純な構造で
必要不可欠な機能を具備させることが出来る。
【００１０】
袋型枠は仮設横筋に吊り下げられた状態でその内部にコンクリートを打設されることか
ら、袋型枠の上部に非常に負担がかかるが、袋型枠の内部の複数本の開拡制限紐の両端部
を表裏部材の内面に縫着すると共に、表裏部材の上部に補強棒材の挿通部位を形成したの
で、吊下具は直接補強棒材を引っ掛かり、表裏部材は補強棒材の全体で支持されるため、
袋型枠自体への負担を軽減することが出来、破損などによる袋型枠の脱落を防止出来る。
【００１１】
連結具を縦長ループ状に形成すると共に、１箇所に切断部を形成して、上端部をアンカ
ーへの引掛部としたので、単なる一本形状のものに比しコンクリートとの一体性の向上を
図ることが出来、而もアンカーにおける連結部位を切断部を通過させれば自動的にアンカ
ーに対し連結具を吊り下げることが出来る。
【００１２】
間隔保持具を縦長状に形成し、上端部に仮設横筋への引掛部を形成し、中間部に複数個
のＬ形突部を上下配列して横筋の挿通部位としたので、かかる間隔保持具は、袋型枠内に
横筋が配筋された状態においても設置することが出来、現場に応じて設置段取りを選択す
ることが出来る等その実用的効果甚だ大である。
【発明を実施するための最良の形態】
【００１３】
以下、本発明の一実施例を図面に基づき説明する。
先ず、本発明に係る法面Ｓへのコンクリート壁の構築工法に使用する各種建材について
説明する。
【００１４】
法面Ｓに打ち込む異形鉄筋からなる各アンカー１、1a…の先端部に、後述する連結具10
、10a …の連結部位２及び仮設横筋19の受承部位３を形成している。具体的には、図１に
示す様に、各アンカー１、1a…の先端部に形成した深いＵ字状の屈曲部４を上記連結部位
２及び受承部位３としており、仮設横筋19は連結状態の連結具10、10a …の上端部を介し
て屈曲部４で受承する様にしている。
【００１５】
図２に示す様に、コンクリート壁を外装する横長状の袋型枠５における表裏部材６、6a
の上部に、鉄筋の様な補強棒材７、7aの挿通部８、8aを形成している。
又、袋型枠５の内部の複数本の開拡制限紐９、9a…の両端部を表裏部材６、6aの内面に
縫着して、袋型枠５の袋幅が拡幅しない様にしている。
尚、袋型枠５は軽量で高強度の合成繊維の二重織地から成り、又開拡制限紐９、9a…は
袋型枠５の縦横方向に規則的に配列されている。
【００１６】
上記袋型枠５内に配置する複数本の連結具10、10a …の夫々の上端部に、アンカー１、
1a…における連結部位２への引掛部11を形成している。具体的には、各連結具10、10a …
を、図３に示す様に縦長ループ状に形成することで上下両端部に形成される屈曲部のどち
らか一方を引掛部11とし、各連結具10、10a …の下端側の一箇所に切断部12を形成してい
る。尚、連結具10、10a …は、図７〜１０に示す様に、下端が袋型枠５の近くまで到達す
るまで長くなくても良いが、埋設寸法が長いほど一体生が向上するため、長い方が望まし
く、図示した様に連結具10、10a …を長くすればは構造体としての縦筋の機能をも具備す
ることになる。
上記袋型枠５内に配筋する複数本の横筋13、13a …の間隔保持材14、14a …の上端部に
、後述する仮設横筋19への引掛部15を形成すると共に、中間部に横筋13、13a …の挿通部
位16、16a …を設けている。具体的には、金属製で、図３に示す様に、縦長状に形成し、
中間部に複数個のＬ形突部17、17a …を上下配列して、横筋13、13a …の上方開口状の挿
通部位16、16a …を形成している。
尚、上記袋型枠５の両側面部材18、18a に、予め横筋13、13a …の挿通孔（図示せず）
を縦方向に所定間隔毎に列設しておいても良い。
【００１７】
アンカー１、1a…における挿通部位３に貫通状態の仮設横筋19に袋型枠５の吊下具20、
20a …を取り付け、該吊下具20、20a …は金属性で、各吊下具20、20a …の上部に仮設横
筋19への取付部21を、下部に鉤止部22を形成している。具体的には、図５に示す様に、取
付部21を山形状に形成し、取付部21の両端部位を上方へ折り返すと共に、先端部を尖端形
状にして鉤止部22、22としている。
尚、吊下具20、20a …は仮設横筋19と別体であるが、一体化しても良く、この場合、ア
ンカー１、1aにおける受承部位３の上方部位を仮設横筋19の中間部位の通過開口部（図示
せず）とする必要がある。
又、袋型枠５の表裏部材６、6aの上部（挿通部８、8a）で補強棒材７、7aの下方位置に
、予め鉤止部22、22の挿通孔（図示せず）を形成しておいても良い。
【００１８】
次に、本発明に係るコンクリート壁の構築工法について説明する。
〔第１工程〕
法面Ｓに複数本のアンカー１、1a…を打ち込み、該アンカー１、1a…における連結部位
２（屈曲部４）に連結具10、10a …の引掛部11を引っ掛けて、アンカー１、1a…に対し連
結具10、10a …を吊り下げ、全アンカー１、1a…における屈曲部４内の連結具10、10a …
より上方部位に仮設横筋19を貫通させて、各アンカー１、1a…の屈曲部４が該仮設横筋19
を連結具10、10a …を介しての仮設横筋19の受承部位３となって、該仮設横筋19をアンカ
ー１、1a…の先端部に架設する（図６参照）。
〔第２工程〕
袋型枠５を広げてその内部に連結具10、10a …を収容する様に下方から上方へ引き上げ
、吊下具20、20a …を仮設横筋19の上方に配置させた状態で両方の鉤止部22、22を、袋型
枠５における挿通部８、8aに内側から外側へ貫通させて、取付部21を仮設横筋19の上部に
当接させることで、仮設横筋19に対し袋型枠５を吊下げ設置する（図７参照）。
この際に、各吊下具20、20a …の鉤止部22、22で、袋型枠５の挿通部８、8a内を挿通状
態の補強棒材７、7aを引っ掛けている。
〔第３工程〕
複数本の横筋13、13a …を、袋型枠５における一方の側面部材18を貫通させて袋型枠５
内を通すと共に、その先端を他方の側面部材9aを貫通させて配筋するが、仮設横筋19に吊
り下げて袋型枠５内に収容した各間隔保持材14、14a …における挿通部位16、16a …に横
筋13、13a …を挿通させることで、横筋13、13a …の間隔を保持した後、コンクリート23
を打設する（図８、９参照）。
尚、間隔保持材14、14a …にあっては、予め袋型枠５内に収容した後に横筋13、13a …
を配筋するか、或いは横筋13、13a …の配筋後に、袋型枠５内に深く差し込んだ後に引き
上げＬ形突部17、17a …で引っ掛けて、挿通部位16、16a …内を挿通させる様にしている
。
又、コンクリート打設により袋型枠５内が膨らむが、開拡制限紐９、9a…の介在によっ
て所定幅以上に拡幅せず、一定幅のコンクリート壁が形成され、而も袋型枠５は打設コン
クリートと一体となるため、そのまま放置してコンクリート壁の一部となる。
〔第４工程〕
コンクリート23の養生、硬化後、仮設横筋19及び吊下具20、20a …を撤去してコンクリ
ート壁を構築した後、該コンクリート壁の後方空間部を土砂、砂利、砕石、コンクリート
等の埋立物で埋め（図１０参照）、かかる埋立部24の上部に必要であれば植生を施す。
尚、図１１に示す様に、間隔保持材14、14a …におけるコンクリート壁の上端面からの
突出部位は、切断したり、折り曲げ、袋型枠５における表裏部材６、6aの上端部をコンク
リート壁の上端面側へ折り曲げ、必要であれば、折り曲げた表裏部材６、6aの上端部にお
ける連結具10、10a …に相当する部位に切込、穴等を形成して、連結具10、10a …の上端
部を通過させている。
〔第５工程〕
上記工程を法面Ｓの幅方向に繰り返し行って複数のコンクリート壁を連設し、必要であ
ればその上方へも順次コンクリート壁を構築する。
尚、幅方向に隣接するコンクリート壁にあっては、少なくとも一方のコンクリート壁に
おける横筋13、13a …の突端部を他方のコンクリート壁における袋型枠５の側面部材18、
18a を貫通させて、他方のコンクリート壁における横筋13、13a …の端部と必要寸法重ね
て結束する。具体的には、袋型枠５内で結束する場合と立設する袋型枠５、５間で結束刷
る場合が考えられる。前者は、図１３に示す様に、間隔保持材14、14a …の挿通部位16、
16a …内にオーバーラップ部位を挿通させて結束する。後者は、図１４に示す様に、両方
のコンクリート壁における横筋13、13a …の突端部を他方のコンクリート壁における袋型
枠５、５の側面部材18、18a を貫通させ、袋型枠５、５間の横筋13、13a …のオーバーラ
ップ部位の外部露出部位を鉄線等により結束する。
【００１９】
上記工法によれば、袋型枠５の設置作業は、凹凸法面の場合であっても、アンカー１、
1a…に横架した仮設横筋19に吊り下げるだけであり、且つ型枠の撤去作業は不要であるた
め、作業性の向上を図ることが出来、コストダウンを図ることが出来、モルタル吹付け、
コンクリートフレーム工法等により既に補強された法面Ｓに対しても可能である。
又、コンクリート壁内には横筋13、13a …と縦筋でもある連結具10、10a …が配筋され
て強固な躯体となり、而も間隔保持材14、14a …も配置されて更に強固な躯体となり、又
袋型枠５の開拡制限紐９、9a…によってコンクリート壁が一定幅となる。
【００２０】
尚、幅狭であったり低強度のコンクリート壁を構築する場合であれば、上記第３工程に
おける横筋13、13a …の配筋工程を省略しても良い。
又、上記第４工程において袋型枠５内に打ち込むコンクリートにあっては、粗骨材を混
合しないもの、即ちモルタルであっても良い。
【００２１】
本発明の構築工法の応用例としては、道路側方の法面に構築すると共に、埋立部24を土
砂として植物を植えたり、コンクリート護岸された斜面に構築すると共に、埋立部24を土
砂の上に大きめの石を敷き詰めて植物を植える様にする。又、本工法の対象となる法面Ｓ
は、地肌の露出した状態でも、既設の補強工事が施されている状態のどちらでも良い。
更に、図１２に示す様な根固め工法にも使用出来、この場合、アンカー１、1a…は法面
Ｓ側の岩石Ｗに打ち込み、コンクリート壁の後方空間部をコンクリートで埋める様にし、
必要であれば後方空間部へのコンクリート打設前に適宜配筋作業を施して鉄筋コンクリー
トとする。
【図面の簡単な説明】
【００２２】
【図１】アンカーの部分拡大正面図である。
【図２】一部破断した袋型枠の斜視図である。
【図３】連結具の部分拡大正面図である。
【図４】間隔保持具の正面図である。
【図５】吊下具の拡大正面である。
【図６】打ち込んだアンカーに連結具及び仮設横筋を設置した状態を示す縦断面図である。
【図７】横筋の配筋状態を示す縦断面図である。
【図８】袋型枠を設置した状態を示す縦断面図である。
【図９】袋型枠内にコンクリートを打設した状態を示す縦断面図である。
【図１０】コンクリート壁の後方空間部を埋めた状態を示す縦断面図である。
【図１１】仮設横筋及び吊下具の撤去前後の状態を示す要部拡大断面図である。
【図１２】根固め工法を示す縦断面図である。
【図１３】横筋の結束状態を示す要部拡大断面図である。
【図１４】図１３の他の実施例を示す要部拡大断面図である。
【符号の説明】
【００２３】
１、1a…    アンカー
２          連結部位
３          受承部位
４          屈曲部
５          袋型枠
６、6a      表裏部材
７、7a      補強棒材
８、8a      挿通部
９、9a…    開拡制限紐
10、10a …  連結具
11          引掛部
12          切断部
13、13a …  横筋
14、14a …  間隔保持材
15          引掛部
16、16a …  挿通部位
17、17a …  Ｌ形突部
18、18a     側面部材
19          仮設横筋
20、20a …  吊下具
23          コンクリート
24          埋立部
Ｓ          法面
【図１】
2005113486.tif 000003
【図２】
2005113486.tif 000004
【図３】
2005113486.tif 000005
【図４】
2005113486.tif 000006
【図５】
2005113486.tif 000007
【図６】
2005113486.tif 000008
【図７】
2005113486.tif 000009
【図８】
2005113486.tif 000010
【図９】
2005113486.tif 000011
【図１０】
2005113486.tif 000012
【図１１】
2005113486.tif 000013
【図１２】
2005113486.tif 000014
【図１３】
2005113486.tif 000015
【図１４】
2005113486.tif 000016